(57)【要約】【課題】（１）流体分岐体を配置した部分に過熱による温度斑が生じ難く、（２）床面に不陸が生じ難い、流体分岐体固定具を提供すること。【解決手段】側面に接合された複数個の短管に流体チューブを連接した流体分岐体を、床面に固定する、外観が四角形で板状体を呈する流体分岐体固定具において、この板状体の一側面に、流体分岐体を配置するための流体分岐体配置用空間と、この空間に連接して、流体チューブを接続した短管を、複数方向に分岐する短管配置用溝とが設けられてなり、短管配置用溝は前記流体分岐体配置用間側ほど浅くされてなることを特徴とする。【効果】上記課題が解決される。【選択図】  図１
2004293160.tif 000002
【特許請求の範囲】
【請求項１】
側面に接合された複数個の短管に流体チューブを連接した流体分岐体を、床面に固定する外観が四角形で板状体を呈する流体分岐体固定具において、この板状体の一側面に、流体分岐体を配置するための流体分岐体配置用空間と、この流体分岐体配置用空間に連接して、流体チューブを接続した短管を、複数方向に分岐する短管配置用溝とが設けられてなり、短管配置溝は前記分岐体配置用空間側ほど浅くされてなることを特徴とする、流体分岐体固定具。
【請求項２】
流体分岐体が、厚肉で外観が四角形で板状体を呈した板状体で、平面形状の寸法が１０〜１５０ｍｍ×１０〜１５０ｍｍ×４〜３０ｍｍの範囲で選ばれてなり、板状体の一側面に一個の流体主往き流路と一個の流体主戻り流路が配置され、この側面に隣接する二側面に少なくとも一個の流体往き流路と、少なくとも一個の流体戻り流路が接合されたものである、請求項１に記載の流体分岐体固定具。
【請求項３】
流体分岐体固定具は、厚肉で外観が四角形で板状体を呈した板状体で、平面形状の寸法が５０〜２００ｍｍ×５０〜２００ｍｍ×５〜５０ｍｍの寸法で選ばれてなり、中央部に流体分岐体より大きい流体分岐体配置用空間が設けられてなり、この流体分岐体配置用空間の対向する二側面に、流体チューブを接続した短管を配置する短管配置用溝が設けられてなる、請求項１または請求項２に記載の流体分岐体固定具。
【請求項４】
流体分岐体固定具は、流体分岐体配置用空間部分と短管配置用溝との境界に１ｍｍ以上の段差が設けられてなる、請求項１ないし請求項３のいずれか一項に記載の流体分岐体固定具。
【請求項５】
流体分岐体の表面と、これに対応する流体分岐体配置用空間壁面との間に０．２ｍｍ以上の空間が形成される、請求項１ないし請求項４のいずれか一項に記載の流体分岐体固定具。
【請求項６】
流体分岐体固定具は、床面に流体チューブが接続された流体分岐体を配置し、上側に被せて床面に固定されるか、または、二個一組で構成し、床面に一方の流体分岐体固定具を載置しその流体分岐体配置用空間に、流体チューブが接続されて流体分岐体を配置し、上側から他方の流体分岐体固定具を被せて床面に固定されるものである、請求項１ないし請求項５のいずれか一項に記載の流体分岐体固定具。
【発明の詳細な説明】
【０００１】
【発明の属する技術分野】
本発明は、流体分岐体（ヘッダー）固定具に関する。さらに詳しくは、一般住宅、集合住宅、商業ビルまたはホテルなどの建築物に用いられる床暖房用の流体を、分岐または合流させる改良された流体分岐体の固定具に関する。
【０００２】
【従来の技術】
従来、一般住宅、集合住宅、商業ビルまたはホテルなどの居住性を向上させるために、床面からの放熱によって屋内を暖房する床暖房方式が提案され実用化されている。従来から提案されている床暖房方式としては、（ａ）通常の床の下張面または表層材の上に放熱板を載置する方式、（ｂ）通常の床の表層材の下に放熱板を載置する方式、（ｃ）通常の床面の下に配置した厚手の断熱材層の表面に溝を刻設し、この溝に熱媒チューブを埋設して、この上に金属薄板、表層材などを順次配置する方式などがある。
【０００３】
上記（ａ）、（ｂ）などの方式によると、放熱板はその内部に発熱体を配置しこれに通電することによって発熱させる構造のものは、発熱体が均一な密度に配置されている限り、床面の場所により温度差が生ずることがない。しかしながら、上記（ａ）、（ｂ）、（ｃ）ともに放熱板が熱媒（または「流体」、以下単に「流体」と記載することがある）チューブに流体を通して加熱する構造のものは、流体が流体チューブに入る部分近傍と、流体が流体チューブを循環した後に戻る部分近傍との間には大きな温度差が生ずる場合がある。すなわち、広い面積の放熱板に一本の流体チューブを蛇行させて配置した放熱板の場合には、流体チューブの長さに応じて圧損失が生じ、しかも、流体の入口側から離れる程熱媒の温度が低下し、熱媒の入口側と戻り口側との間には相当の温度差が生じるという欠点がある。
【０００４】
上記欠点を改良するために、流体循環装置で調温・調圧された流体を、一個の主往き流路（または「通路」）から別方向に複数の往き流路に分岐させ、複数の戻り流路（通路）を一個に合流させて主戻り流路に戻す熱媒分岐ブロック（ヘッダーまたは流体分岐体）が提案され、実用化されている（特許文献１、特許文献２参照）。このような流体分岐体は、断熱材層または放熱板の端部に埋め込まれる。流体分岐体を下張床面上に断熱材を配置しその上に載置する場合には、外観を整える目的で、表面に薄床またはクッション材などの表装材（仕上げ材）を布設することが多い。
【０００５】
床の下張面に、複数個の短管に流体チューブを連接して流体分岐体を配置し、表面に薄床またはクッション材などの表装材を布設した場合には、（１）流体分岐体を配置した部分が過熱して温度斑が生じたり、（２）表装材が流体分岐体によって上側に押上げられ床面に不陸が生じたりする、という欠点がある。上記（１）の欠点は、流体分岐体は流体循環装置で調温・調圧された流体が通過するためであり、部分過熱を緩和する目的で、流体分岐体と接触する部分に断熱材を貼着する方法がある。しかし、断熱材を貼着する方法は、貼着作業が繁雑であるほか、断熱材が薄いと部分過熱は十分に緩和されず、断熱材を厚くすると床面の不陸が目立つという欠点がある。
【０００６】
上記（２）の欠点は、流体分岐体を載置する床の下張面上に断熱材と、流体分岐体の構造に原因がある。すなわち、（ａ）床の下張面上には、放熱板からの熱を床下に放散させないように断熱材が配置されているが、流体分岐体を配置する部分では断熱材が配置されておらず床の下張面が露出しているか、または薄くされているので、露出した部分または薄くされている部分と断熱材部分との境界には段差があること。また、（ｂ）流体分岐体に接合された複数個の短管は、流体分岐体側壁面に直角に接合され、これに接続される流体チューブは架橋ポリエチレンなどの剛性に優れた樹脂製であるので変形し難く、流体分岐体を床の下張面の露出部に配置しても、固い流体チューブが流体分岐体を浮かせ床の下張面に接触させないからである。
【０００７】
【特許文献１】
特開平９−２６９１３５号公報
【特許文献２】
特開平１０−２２０６７２号公報
【０００８】
【発明が解決しようとした課題】
本発明者らは、かかる状況にあって、上記従来技術の諸欠点を一挙に解決した流体分岐体を提供すべく、鋭意検討の結果本発明を完成したものである。本発明の目的は、次の通りである。
１．流体分岐体を配置した部分に過熱して温度斑が生じ難い流体分岐体固定具を提供する。
２．床面に不陸が生じ難い流体分岐体固定具を提供する。
【０００９】
【課題を解決するための手段】
上記課題を解決するため、本発明では、側面に接合された複数個の短管に流体チューブを連接した流体分岐体を、床面に固定する外観が四角形で板状体を呈する流体分岐体固定具において、この板状体の一側面に、流体分岐体を配置するための流体分岐体配置用空間と、この流体分岐体配置用空間に連接して、流体チューブを接続した短管を、複数方向に分岐する短管配置用溝とが設けられてなり、短管配置溝は前記分岐体配置用空間側ほど浅くされてなることを特徴とする、流体分岐体固定具を提供する。
【００１０】
【発明の実施の形態】
以下、本発明を詳細に説明する。
本発明に係る流体分岐体固定具は、一般住宅、集合住宅、商業ビルまたはホテルなどの居住性を向上させる目的で床に配置される床暖房用放熱体の内部に配置される流体（熱媒）を分岐する部材であって、放熱体の近傍に配置された流体循環装置で調温・調圧された流体の主往き流路と、放熱体内を循環した流体の主戻り流路に連接される流体分岐体を、床の下張面に固定するものである。放熱体の近傍とは両者が大きく離れていないことを意味し、屋内・屋外のいずれであってもよい。
【００１１】
本発明に係る流体分岐体固定具によって固定する流体分岐体は、厚肉で平面形状が四角形を呈した板状体であり、四角形を呈した板状体の四側面を順次ａ、ｂ、ｃ、ｄとするとき、その一側面ａに一個の流体主往き流路（ａａ）と一個の流体主戻り流路（ｂｂ）が形成され、この側面に隣接する二側面ｂ、ｄ面に少なくとも一個の流体往き流路と、少なくとも一個の流体戻り流路がそれぞれ接合されたものである。板状体は、厚肉で平面形状が四角形を呈したものに限定されるものではなく、小さなブロックと短いチューブを接続し、全体の外観が四角形の板状体を呈するようにされたものであってもよい。四角形を呈する流体分岐体の大きさは、これを使用する放熱板自体の大きさによって適宜選ばれる。通常は、１０〜１５０ｍｍ×１０〜１５０ｍｍの範囲の四角形で、厚さが４〜３０ｍｍの範囲で選ぶのが好ましい。板状体内部に形成される流体流路の直径は、通常、板状体より小さい２〜３０ｍｍ、好ましくは３〜２５ｍｍの範囲で選ぶのが望ましい。
【００１２】
二側面（ｂ，ｄ面）にそれぞれ一個の流体往き流路（ａａ）と一個の流体戻り流路（ｂｂ）が形成された流体分岐体は、一個の主往き流路（ａａ）を二個の流路に分岐し、二個の戻り流路を一個の主戻り流路（ｂｂ）に合体させる（後記、図１参照）。二側面（ｂ，ｄ面）にそれぞれ二個の流体往き流路と二個の流体戻り流路が形成された流体分岐体は、一個の主往き流路を四個に分岐し、四個の戻り流路を一個の主戻り流路に合体させる（後記、図１参照）。主往き流路と主戻り流路の径は、他の流路の径よりも大きくするのが好ましい。四角形を呈する板状体に接合される短管は、板状体の厚さより小さくすると、板状体の側面に接合し易く好ましい。このような流体分岐体は、特開平１０−２２６７２号公報に記載された構造として調製することができるが、ここに記載された例に限定されるものではない。
【００１３】
本発明に係る流体分岐体固定具は、平面形状が四角形を呈する流体分岐体を配置するための流体分岐体配置用空間と、この流体分岐体配置用空間に、短管に連接した流体チューブを、複数方向に分岐する短管配置用溝とが設けられてなる。流体分岐体固定具全体の大きさ（面積）、四角形を呈した流体分岐体とこれに接合した短管と、この短管に連接した流体チューブの連接部とを配置できる大きさとし、厚さは四角形を呈した流体分岐体の厚さよりも若干大きい寸法とする。平面形状の寸法は、５０〜２００ｍｍ×５０〜２００ｍｍ×５〜５０ｍｍの範囲で選ぶのが好ましい。
【００１４】
流体分岐体固定具の中央部には、流体分岐体より大きい流体分岐体配置用空間を設け、この流体分岐体配置用空間の対向する二側面（ｂ，ｄ）に、短管配置用溝を設ける。流体分岐体配置用空間の面積は、流体分岐体の面積よりも若干、好ましくは５ｍｍ以上大きい寸法とし、深さは流体分岐体の厚さよりも若干、好ましくは１ｍｍ以上大きい寸法とする。この短管配置用溝は、短管に流体チューブを連接し固定バンドで緊締した状態で配置できる幅とする。固定バンドで緊締した部分は、流体分岐体配置用空間、短管配置用溝のいずれに配置してもよい。流体分岐体固定具は、合成樹脂、架橋合成ゴム、金属、木材などから調製することができる。中でも合成樹脂を原料とし、射出成形法で調製するのが好適である。
【００１５】
本発明に係る流体分岐体固定具は、短管配置用溝は上記分岐体配置用空間に近いほど浅い傾斜とする。短管配置用溝の内壁面は、平滑な面、微細な凹凸を設けた面、溝が延在する方向に直角に複数の狭幅の環などを形成して、分岐体配置用空間に近いほど浅い傾斜としてもよい。分岐体配置用空間と短管配置用溝との境界に、１ｍｍ以上の段差とするのが好ましい。分岐体配置用空間と短管配置用溝との境界に段差を設けることにより、流体分岐体の上側面が、流体分岐体配置用空間の面と接触するのを防ぎ、これによってできる隙間（空気層）の寸法は断熱性を発揮し、放熱体のこの部分の部分過熱を防ぐことができる。この隙間が０．２ｍｍ以上になるように、段差の寸法を選ぶことができる。中でも０．２〜３．０ｍｍの範囲とするのが好ましい
【００１６】
本発明に係る流体分岐体固定具は、一個または二個を一組として使用することができる。一個で使用する場合は流体分岐体固定具が流体分岐体配置用空間に埋まるような厚さとし、二個を一組として使用する場合には、表裏二個の流体分岐体固定具を同じ厚さとすることができるし、一方を厚くし他方を薄くすることもできる。一個で使用する場合には、床面に流体チューブが接続された流体分岐体を配置し、上側から流体分岐体固定具を被せて床面に固定する。二個一組で使用する場合には、床面に載置された一方の流体分岐体固定具の流体分岐体配置用空間に、流体チューブが接続されて流体分岐体を配置し、上側から他方の流体分岐体固定具を被せて床面に固定する。
【００１７】
本発明に係る流体分岐体固定具は、通常、適所に複数個の固定用穴を穿設する。床の下張面上に載置して流体チューブが接続されて流体分岐体を配置し、上側に覆いを被せて床面に固定されるか、または、床面に載置された流体チューブが接続されて流体分岐体に上側から被せて、床面に固定する際に活用される。床の下張面上には、アルミニウム箔、発泡シートなどの断熱材が配置されていてもよい。流体分岐体固定具を床の下張面上に固定具によって固定することによって、流体分岐体を流体チューブを連接した短管を床の下張面側に押圧し、流体分岐体の上側面が流体分岐体配置用空間の面と接触するのを防ぎ、両者の間に確実に隙間を形成することができる。この隙間が、流体分岐体固定具の過熱を防ぎ放熱板の部分的な温度斑が生じ難くする。また、流体分岐体が流体分岐体固定具によって強固に固定されるので、流体分岐体が上側に浮き上げられ床面に不陸が生じることもない。
【００１８】
【実施例】
以下、本発明を図面に基いて詳細に説明するが、本発明はその趣旨を越えない限り以下の記載例に限定されるものではない。
【００１９】
図１は、本発明に係る流体分岐体固定具の一例に、流体分岐体を配置した状態のを示す部分拡大平面略図であり、図２は、図１のＡ−Ａ部分での縦断部分拡大側面であり、図３は図１のＢ−Ｂ部分での縦断部分拡大側面である。図において、１は流体分岐体固定具、２は流体分岐体、３は流体分岐体配置用空間、４は短管配置用溝、５は固定用穴、６は短管に接続した流体チューブ、７は固定金具用穴、８は流体分岐体配置用空間と短管配置用溝との境界、９は床面、１０は断熱材、１１は表装材である。
【００２０】
図１において、流体分岐体固定具１は、熱板放の端部を平面形状が四角形を呈するように切り欠いた空間に配置される。流体分岐体固定具１は、外観が四角形で板状体を呈し、厚肉で外観が四角形で板状体を呈した板状体で、平面形状の寸法は３５ｍｍ×３０ｍｍ×１１ｍｍにされている。板状体の一側面に一個の流体主往き流路ａａ（外径７．５ｍｍ）と一個の流体主戻り流路ｂｂ（外径７．５ｍｍ）が配置され、この側面に隣接する二側面に二個の流体往き短管（外径５．５ｍｍ、図示されていない）と、二個の流体戻り短管（外径５．５ｍｍ、図示されていない）が接合されている。流路ａａおよび流路ｂｂの接続されている流体チューブは、内径が７ｍｍであり、双方の短管に流体チューブ６（内径５ｍｍ）が接続され、固定金具７によって固定されている。
【００２１】
図２において、厚さが１２ｍｍの流体分岐体固定具１のほぼ中央部分には、外形が５５ｍｍ×５０ｍｍ×１１ｍｍとされた流体分岐体配置空間部分３が、その背面１´（流体分岐体配置用空間３の壁面）を０．８の厚さに設けられている。流体分岐体２は平面形状が四角形であるので、流体分岐体配置用空間３も同様に平面形状が四角形とされる。短管配置用溝４は、流体分岐体配置用空間３から離れた部分（流体分岐体固定具１の周辺側）は深くされ、空間部分３に近い部分ほど浅くされている。すなわち、この流体分岐体配置用空間３の三側面に連続させて開口部の幅が１５ｍｍ、外側（外周側）の深さが１１ｍｍ、流体分岐体配置用空間３との境界８が８．５ｍｍとされている。流体分岐体配置用空間３と短管配置用溝４との境界８の段差は、２．５ｍｍとされている。
【００２２】
図３では、流体分岐体固定具１を流体分岐体２に上側から被せて床面９に固定した例を示した。このように固定する際には、流体分岐体２の表面と、流体分岐体配置用空間３の壁面１´との間に０．２ｍｍ以上の隙間（空気層）３´が形成されるようにする。これによってできる隙間（空気層）３´が断熱性を発揮し、放熱体のこの部分の部分過熱を防ぐことができるのは、前記したとおりである。図３に示した例では、床面９の流体分岐体２を配置する部分には、断熱材１０が配置されておらず下張床面９が露出しており、露出した部分に流体分岐体２を配置し、流体分岐体固定具１を上側から被せた例を示した。上側から被せ、流体分岐体固定具３を固定具用穴５にビスを挿入し下張床面に固定すると、短管配置用溝４の境界８が流体チューブ６に当接し、流体チューブ６を床面９側に押圧し、同時に流体分岐体２も床面９側に押圧するので、流体分岐体２の表面と、流体分岐体配置用空間３の壁面１´との間に隙間３´が形成される。
【００２３】
流体分岐体２の表面、流体分岐体配置用空間３の壁面１´との間に隙間３´の寸法は、流体分岐体配置用空間３と短管配置用溝４との境界８の段差の寸法、流体分岐体２の厚さとこれに連接されている短管に接続した流体チューブ６の外径との差などによって決まる。この隙間３´の寸法は、０．２ｍｍ以上とするのが好ましいことは、前記したとおりである。図１では、二側面に二個の流体往き短管と、二個の流体戻り短管が接合された例示したが、二側面に三個以上の流体往き短管と、三個以上の流体戻り短管が接合されていてもよく、二側面に四個以上の流体往き短管と、四個以上の流体戻り短管が接合されていてもよいことは、もちろんである。
【００２４】
【発明の効果】
本発明は、次のような特別に有利な効果を奏し、その産業上の利用価値は極めて大である。
１．本発明に係る流体分岐体固定具によって固定した場合には、流体分岐体の表面と流体分岐体配置用空間壁面との間に空間が形成され、この空間が断熱層として機能するので、これによってできる隙間（空気層）が断熱性を発揮し、放熱体のこの部分の部分過熱を防ぐことができる。
２．本発明に係る流体分岐体固定具によって固定した場合には、流体分岐体が流体分岐体固定具によって床面に強固に固定されるので、流体分岐体が上側に浮き上げられ床面に不陸が生じることもない。
【図面の簡単な説明】
【図１】本発明に係る流体分岐体固定具の一例に、流体分岐体を配置した状態を示す部分拡大平面略図ある。
【図２】図１のＡ−Ａ部分での縦断部分拡大側面である。
【図３】図１のＢ−Ｂ部分での縦断部分拡大側面である。
【符号の説明】
ａａ：主往き流路
ｂｂ：主戻り流路
１：流体分岐体固定具
１´：流体分岐体配置用空間の壁面
２：流体分岐体
３：流体分岐体配置用空間
３´：隙間（空気層）
４：短管配置用溝
５：固定用穴
６：短管に接続した流体チューブ
７：固定金具用穴
８：流体分岐体配置用空間と短管配置用溝との境界
９：床面
１０：断熱材
１１：表装材
【図１】
2004293160.tif 000003
【図２】
2004293160.tif 000004
【図３】
2004293160.tif 000005